(57)【要約】【課題】画像表示装置のオーバスキャン表示時の画像表示範囲設定を容易且つ速やかに実行可能にする。【解決手段】画像表示範囲設定システムにおいて、オーバースキャン表示を表示設定値に基づき行う液晶表示装置にＰＣを接続して画像表示範囲設定が実行されると、表示設定値が初期化される。ＰＣでは、液晶表示装置に仮設定値に基づき表示されるマーカに対応する仮想マーカ１１１，…，１１４を含む仮想画像１１０と、仮想マーカ１１１，…，１１４に対応する位置に表示されるスライダ１２１ａ，…，１２４ａとを含む画像表示範囲設定画像１００が表示される。作業者は、液晶表示装置とＰＣの表示画像を確認しながらスライダ１２１ａ，…，１２４ａの位置を変更することにより、仮設定値を変更する。作業者が更新ボタン１４０を押下操作すると、仮設定値が表示設定値として記憶される。【選択図】図８
2010078875.tif 000002
【特許請求の範囲】
【請求項１】
表示部と、装置の動作を制御する制御部とを備え、当該制御部の制御の下、所定の表示設定値に応じて、表示対象となる元画像の一部分である部分画像を前記表示部に表示するオーバスキャン表示機能を有する画像表示装置と、
前記画像表示装置に接続可能であり、表示部と、装置の動作を制御する制御部と、ユーザからの操作入力を前記制御部に伝達する入力部とを備えた画像表示範囲設定装置とを有し、
前記画像表示範囲設定装置を前記画像表示装置に接続して用いることにより、前記画像表示装置の前記所定の表示設定値の設定操作である画像表示範囲設定を実行可能な、画像表示装置の画像表示範囲設定システムであって、
前記画像表示範囲設定の実行時に、
前記画像表示範囲設定装置の制御部は、当該画像表示範囲設定装置の表示部に、前記画像表示装置に設定する仮設定値に対応する設定画像を表示し、且つ、前記入力部からの入力に応じて前記仮設定値を変更可能に構成されており、
前記画像表示装置の制御部は、当該画像表示装置の表示部に所定の元画像を表示した状態で、当該元画像における前記仮設定値に応じた位置に、当該仮設定値が前記所定の表示設定値として設定された状態でオーバスキャン表示される部分画像の表示範囲を示すマーカを表示するように構成されており、
前記入力部からの前記表示設定値を設定する旨の所定の入力がなされたとき、それに応じて、前記仮設定値が前記所定の表示設定値として設定されることを特徴とする画像表示装置の画像表示範囲設定システム。
【請求項２】
前記画像表示範囲設定装置の制御部は、前記画像表示範囲設定の実行時に、前記仮設定値に応じて、当該画像表示範囲設定の実行中に前記画像表示装置の表示部に表示される前記マーカを仮想的に示す仮想画像と、当該仮想画像に対し前記仮設定値に対応する位置に配置されるスライダとを、前記設定画像に表示するように構成されており、
前記入力部からの入力に応じて、前記スライダの前記仮想画像に対する位置が、前記仮設定値と共に変化することを特徴とする請求項１記載の画像表示装置の画像表示範囲設定システム。
【請求項３】
前記マーカは、前記仮設定値が所定の表示設定値として設定された場合に前記部分画像の端縁部となる位置に、部分画像を囲んで示すように、前記所定の元画像上に表示されることを特徴とする請求項１又は請求項２記載の画像表示装置の画像表示範囲設定システム。
【発明の詳細な説明】
【技術分野】
【０００１】
本発明は、画像表示装置に接続して当該画像表示装置のオーバスキャン表示の画像表示範囲設定を行うための画像表示範囲設定装置を用いた画像表示装置の画像表示範囲設定システムに関する。
【背景技術】
【０００２】
一般に、テレビジョン放送受像機等の画像表示装置は、表示対象となる元画像の周縁部を除いた部分画像がユーザから見えるように、オーバスキャン表示で部分画像を画面に表示可能に構成されている。元画像のうちオーバスキャン表示により画面に表示可能な部分画像の適正な範囲は、例えば画面に用いられる液晶パネルの種類等に応じて異なる場合がある。そのため、適正にオーバスキャン表示が行えるように、画像表示装置の製造時等において、元画像のうちオーバスキャン表示時に表示する部分画像が占める範囲を設定する操作である画像表示範囲設定を行う必要がある。
【０００３】
ところで、このような画像表示範囲設定は、例えば、画像表示装置の製造時等において、作業者が、画像表示装置にパーソナルコンピュータ等の作業用端末を接続して、画質設定作業等と併せて行うような作業である。従来、画像表示範囲設定は、部分画像の範囲を設定するための設定値を所定のコマンドを入力することにより設定し、その結果画像表示装置に表示される画像を目視で確認することを、表示が適正に行われるまで繰り返して行うというような、煩わしい作業であった。すなわち、画像表示範囲設定は作業員の経験と作業時間とが必要な作業であり、画像表示範囲設定を行うことにより、画像表示装置の製造コストやメンテナンスコストが高くなるという問題があった。特に、画像表示装置の表示モードとして、１６：９ディスプレイモードや４：３ディスプレイモード等の画像の縦横比や、レターボックス表示やズーム表示等の表示態様が互いに異なる表示モード等が多数ある場合には、各モードに対応するように画像表示範囲設定を行う必要があるため、上記問題はさらに顕著である。
【０００４】
ここで、特許文献１には、テレビ受像機において、画面に表示する画像のサイズを、画面の最大サイズからそれより小さい所定のサイズまで、視聴者のキー操作により選択および設定可能にすることが開示されている。しかしながら、このようなテレビ受像機は、画面上の表示画像のサイズを段階的に変更可能なものであり、表示パネルの種類等に応じて、表示画像のサイズ変更を詳細に且つ容易に行うことができるようなものではない。すなわち、特許文献１には、上記問題の解決策となりうるような、オーバスキャン表示時の部分画像の表示範囲を容易に設定可能にする方法等は開示されていない。
【０００５】
また、特許文献２には、画面上に、表示画像のシミュレート表示を行い、ユーザがそれを見ながら映像データの圧縮、伸長比率を調整することにより、表示画像を違和感のない比率で表示することができるようにした映像再生システムが開示されている。しかしながら、この映像再生システムは、いわゆるアンダースキャンで画像を表示するものであり、特許文献２には、上記のようなオーバスキャン表示時の画像の表示範囲に関する問題に対する解決策は開示されていない。
【０００６】
なお、特許文献３には、モニタのアスペクト比情報を得るアスペクト比入力手段を設け、モニタのアスペクト比に応じた画像信号を画像生成用データから生成し、モニタに出力する画像出力装置が開示されている。しかしながら、この画像出力装置は、画像表示時の画像の表示範囲の設定を行うものではなく、上記問題点に対する解決策は特許文献３には開示されていない。
【特許文献１】特開２００７−１８９３６２号公報
【特許文献２】特開２００６−１６６２６８号公報
【特許文献３】特開１０−１６２１３３号公報
【発明の開示】
【発明が解決しようとする課題】
【０００７】
本発明は、上記問題点を鑑みてなされたものであり、オーバスキャン表示時の画像の表示範囲の設定を容易且つ速やかに行うことが可能な画像表示装置の画像表示範囲設定システムを提供することを目的とする。
【課題を解決するための手段】
【０００８】
上記目的を達成するため、請求項１の発明は、表示部と、装置の動作を制御する制御部とを備え、当該制御部の制御の下、所定の表示設定値に応じて、表示対象となる元画像の一部分である部分画像を前記表示部に表示するオーバスキャン表示機能を有する画像表示装置と、前記画像表示装置に接続可能であり、表示部と、装置の動作を制御する制御部と、ユーザからの操作入力を前記制御部に伝達する入力部とを備えた画像表示範囲設定装置とを有し、前記画像表示範囲設定装置を前記画像表示装置に接続して用いることにより、前記画像表示装置の前記所定の表示設定値の設定操作である画像表示範囲設定を実行可能な、画像表示装置の画像表示範囲設定システムであって、前記画像表示範囲設定の実行時に、前記画像表示範囲設定装置の制御部は、当該画像表示範囲設定装置の表示部に、前記画像表示装置に設定する仮設定値に対応する設定画像を表示し、且つ、前記入力部からの入力に応じて前記仮設定値を変更可能に構成されており、前記画像表示装置の制御部は、当該画像表示装置の表示部に所定の元画像を表示した状態で、当該元画像における前記仮設定値に応じた位置に、当該仮設定値が前記所定の表示設定値として設定された状態でオーバスキャン表示される部分画像の表示範囲を示すマーカを表示するように構成されており、前記入力部からの前記表示設定値を設定する旨の所定の入力がなされたとき、それに応じて、前記仮設定値が前記所定の表示設定値として設定されるものである。
【０００９】
請求項２の発明は、請求項１の発明において、前記画像表示範囲設定装置の制御部は、前記画像表示範囲設定の実行時に、前記仮設定値に応じて、当該画像表示範囲設定の実行中に前記画像表示装置の表示部に表示される前記マーカを仮想的に示す仮想画像と、当該仮想画像に対し前記仮設定値に対応する位置に配置されるスライダとを、前記設定画像に表示するように構成されており、前記入力部からの入力に応じて、前記スライダの前記仮想画像に対する位置が、前記仮設定値と共に変化するものである。
【００１０】
請求項３の発明は、請求項１又は請求項２の発明において、前記マーカは、前記仮設定値が所定の表示設定値として設定された場合に前記部分画像の端縁部となる位置に、部分画像を囲んで示すように、前記所定の元画像上に表示されるものである。
【発明の効果】
【００１１】
請求項１の発明によれば、オーバスキャン表示の画像表示範囲設定の実行時に、画像表示装置の表示部に表示されたマーカを見ながら仮設定値の変更を行うことにより、視覚的且つ直感的に画像の表示範囲を決定し、表示設定値の変更を行うことができる。従って、従来のように設定値を設定しその結果を目視で確認する作業を表示が適正になるまで繰り返すような経験と時間が必要な作業を行うことなく、容易に且つ速やかに画像表示範囲設定を行うことができる。
【００１２】
請求項２の発明によれば、画像表示範囲設定装置の表示部に表示される仮想画像とスライダを見ながら、仮設定値をより直感的に変更することができるので、より容易かつ速やかに画像表示範囲設定を行うことができる。
【００１３】
請求項３の発明によれば、部分画像の端縁部となる位置に部分画像を囲んで示すようにマーカが表示されるので、作業者は、マーカと、表示設定値の設定後に表示される部分画像との関係をより容易且つ確実に把握することができ、さらに容易に画像表示範囲設定を行うことができる。
【発明を実施するための最良の形態】
【００１４】
以下、本発明の一実施形態について図面を参照して説明する。図１及び図２は、本実施形態に係る画像表示装置の画像表示範囲設定システム（以下、表示範囲設定システムと称する）を示す。表示範囲設定システム１は、例えばテレビジョン放送受像機である液晶表示装置（画像表示装置）１０と、通信ケーブル３０を介して液晶表示装置１０に接続可能な、後述するような所定の機能を備えたパーソナルコンピュータ（画像表示範囲設定装置）（以下、ＰＣと称する）２０とで構成されている。表示範囲設定システム１は、例えば液晶表示装置１０の製造工程において画質等の各種設定値を設定するときやメンテナンス時等において、当該液晶表示装置１０にＰＣ２０を接続して構成され、使用される。
【００１５】
先ず、液晶表示装置１０とＰＣ２０の構成について順に説明する。液晶表示装置１０は、液晶パネル（表示部）２と、チューナ３ａ及び外部入力部３ｂと、選局部３ｃと、液晶表示装置１０の各部を制御する制御部４と、操作入力部５と、制御部４を経由して入力された画像データに基づき液晶パネル２を駆動する駆動部６と、記憶部７と、接続通信部９等で構成されている。
【００１６】
チューナ３ａは、外部のアンテナ（図示せず）等から入力された信号を選局し、制御部４に出力する。また、外部入力部３ｂは、例えば外部のパーソナルコンピュータ等や光ディスクレコーダ等から画像データを入力可能に構成されており、入力された画像データを制御部４に出力する。選局部３ｃは、制御部４に制御されてチューナ３ａを制御し、チューナ３ａに受信する信号を選局させる。操作入力部５は、例えばユーザが操作可能なリモートコントローラ（図示せず）や液晶表示装置１０の本体に設けられた操作ボタン等からの操作信号を制御部４に出力する。記憶部７は、例えばＲＯＭやＲＡＭ等で構成されており、制御部４により用いられる種々の設定情報等が記憶される。接続通信部９は、例えばＰＣ２０等の外部機器と接続するための通信ケーブル３０を接続可能なコネクタとＵＡＲＴ等を有している。制御部４は、接続通信部９に接続された外部機器と通信可能である。
【００１７】
制御部４は、例えばマイコン等により構成されている。制御部４は、チューナ３ａから入力された入力信号を処理して画像データを生成する信号処理部４ａを有している。信号処理部４ａは、液晶パネル２に表示する画像のブライトネスやコントラスト等の調整処理や入力信号に対するガンマ補正処理等を行い、液晶パネル２に表示させる画像の所定のフレームレート（例えば５０ヘルツ又は６０ヘルツ）の画像データを生成する。生成された画像データは、制御部４から出力され、駆動部６に入力される。制御部４は、例えば、チューナ３ａにより受信された信号に基づく画像データを出力するか、外部入力部３ｂから入力された画像データを出力するかを切替制御可能に構成されており、液晶表示装置１０は、多種の画像ソースによる画像を視聴可能に構成されている。
【００１８】
液晶パネル２は、駆動部６から駆動電圧が印加されることによりその駆動電圧に応じてバックライトからの光の透過率を変更する液晶素子からなる、複数の画素を有している。すなわち、液晶パネル２は、駆動部６により、各画素が制御部４から出力された画像データに対応する階調で駆動されて、その各画素の階調の濃淡により、例えばチューナ３ａにより選局された入力信号に対応する画像を表示する。本実施形態においては、液晶パネル２は、例えば、画像を表示する画素の数の縦横比が１６：９となるように構成されている。
【００１９】
本実施形態において、液晶表示装置１０は、制御部４の制御の下、表示する元画像の縦横比や表示方法が互いに異なる複数の表示モードすなわち画格設定で画像を表示可能に構成されている。液晶表示装置１０は、制御部４の制御の下、画格設定に応じて、いわゆるドットバイドット（Dot-by-dot）表示を行ったり、表示対象となる元画像の一部分である部分画像を液晶パネル２に表示するオーバスキャン表示を行う。オーバスキャン表示は、例えば、記憶部７に、各画格設定に対応するように、色合いや画質等の設定値と共に記憶されている表示設定値に基づいて行われる。この表示設定値は、例えば、元画像の上下左右の４辺の位置をそれぞれ所定の位置からの距離（画素数）で示すような数値の配列である。制御部４は、オーバスキャン表示時に、画格設定に応じた表示設定値を読み込み、それに従って部分画像の表示を行う。すなわち、オーバスキャン表示時には、部分画像は、表示設定値で設定された元画像の所定の一部分を、液晶パネル２の表示範囲内に拡大表示することにより表示される。
【００２０】
図３は、チューナ３ａにより受信され又は外部入力部３ｂから入力され表示される元画像の画素数の縦横比が１６：９である場合、すなわち１６：９ディスプレイモード時に適用可能な画格設定の種類を示す。また、図４は、同様に受信・入力されて表示される元画像の画素数の縦横比が４：３である場合すなわち４：３ディスプレイモード時に適用可能な画格設定を示す。図において、画格設定毎に示す五つの円を含む図は、いわゆるモノスコープ画像を示したものであり、黒い塗りつぶし部は、液晶パネル２上で入力された画像を表示せず黒い表示が行われるサイドバーを示す。これらの１６：９ディスプレイモード時や４：３ディスプレイモード時には、オーバスキャン表示が行われ、元画像の端縁部等に画像の乱れ等があっても、その乱れ等が実際に表示される部分画像には含まれないようにすることができる。
【００２１】
図３に示すように、１６：９ディスプレイモード時においては、制御部４は、操作入力部５からの操作信号等に基づき、表示態様が互いに異なる、「Ｆｕｌｌ」モード、「Ｚｏｏｍ」モード、「Ｍｏｖｉｅ」モード、「Ｅｘｐａｎｄ」モードの４つの画格設定から１つを選択して当該画格設定で画像の表示を行う。「Ｆｕｌｌ」モードでは、元画像の水平方向と垂直方向共に９５％程度の所定の範囲を液晶パネル２に表示し、「Ｚｏｏｍ」モードでは、元画像の水平方向と垂直方向共に７５％程度の所定の範囲を液晶パネル２に拡大して表示する。これら２つの画格設定では、元画像に対する水平方向と垂直方向のそれぞれの拡大率が略同程度となる。他方、「Ｍｏｖｉｅ」モードでは、元画像のうち、水平方向に９５％、垂直方向に７５％程度の範囲を部分画像として、部分画像をいわば縦長に拡大して液晶パネル２に表示する。また、「Ｅｘｐａｎｄ」モードでは、それと反対に、元画像のうち、水平方向に７５％、垂直方向に９５％程度の範囲を部分画像として、部分画像をいわば横長に拡大して液晶パネル２に表示する。
【００２２】
また、図４に示すように、４：３ディスプレイモード時においては、制御部４は、「Ｎｏｒｍａｌ」モード、「Ｆｕｌｌ」モード、「Ｍｏｖｉｅ」モード、「Ｗｉｄｅ」モード、「１４：９」モードの５つの画格設定から１つを選択して当該画格設定で画像の表示を行う。「Ｎｏｒｍａｌ」モードでは、液晶パネル２の左右両側部に所定の幅のサイドバーを表示し、液晶パネル２のうちサイドバーを表示しない部位に縦横比が４：３となるように画像を表示する。このとき、元画像の水平方向と垂直方向共に９５％程度の所定の範囲の部分画像が液晶パネル２に表示される。他方、「Ｆｕｌｌ」モードでは、元画像のうち、水平方向と垂直方向のそれぞれ９５％程度の範囲を部分画像とし、「Ｍｏｖｉｅ」モードでは、水平方向と垂直方向のそれぞれ９５％、７９％程度の範囲を部分画像とし、部分画像をいわば横長に拡大して液晶パネル２の全面に表示する。また、「Ｗｉｄｅ」モードや「１４：９」モードは、元画像のうち、水平方向と垂直方向の共に９５％の範囲を部分画像とするものであるが、上記の画格設定に対して、画像の中央部から左右の両端部に近づくに従って水平方向への拡大率が大きくなるようにして部分画像を液晶パネル２に表示する点が異なる。「Ｗｉｄｅ」モードでは、部分画像を液晶パネル２の全面に表示する。他方、「１４：９」モードでは、液晶パネル２の左右両側部に所定の幅のサイドバーを表示し、部分画像を、液晶パネル２のうちサイドバーを表示しない部位に、縦横比が１４：９となるようにして表示する。
【００２３】
なお、液晶表示装置１０は、例えば外部入力部３ｂに接続された外部のパーソナルコンピュータから出力される画像を表示するＰＣモードで画像表示可能に構成されている。図５は、ＰＣモード時に適用可能な画格設定の種類を示す。ＰＣモードにおける画格設定では、上述のようなオーバスキャン表示は行わず、元画像の全体を液晶パネル２に表示するいわゆるアンダースキャン表示で画像表示を行う。ＰＣモードでは、おおまかに、元画像を構成する各画素を液晶パネル２の１つの画素に割り当てて画像表示を行う「Ｄｏｔ  ×  Ｄｏｔ」モードや、元画像の水平方向又は垂直方向のいずれかの方向を液晶パネル２の全体に拡大して表示する「Ｎｏｒｍａｌ」モードや、元画像を液晶パネル２の全体に拡大して表示する「Ｆｕｌｌ」モードを適用することができる。「Ｄｏｔ  ×  Ｄｏｔ」モードや「Ｎｏｒｍａｌ」モードにおいて、元画像を表示しない部位には、例えば黒色のサイドバーが表示される。「Ｄｏｔ  ×  Ｄｏｔ」モードや「Ｎｏｒｍａｌ」モードにおいて、画像の表示態様は、液晶パネル２を構成する画素数と元画像の解像度等に応じて、それぞれ二つの表示タイプ（type A／type B）から選択される。図６は、表示可能な元画像の種類と、それらの表示時に適用される表示タイプとの関係の一例を示す。
【００２４】
ＰＣ２０は、例えば、いわゆるラップトップ（Laptop）型のパーソナルコンピュータであって、液晶パネル２２と、ＰＣ２０の動作を制御するＣＰＵ等で構成された制御部２４と、入力部２５と、液晶パネル２２を駆動する駆動部２６と、記憶部２７と、接続通信部２９等で構成されている。入力部２５は、例えばキーボードやマウス等であり、作業者（ユーザ）によりなされた操作入力を操作信号として制御部２４に出力する。記憶部２７は、例えばＲＯＭ、ＲＡＭ等のメモリや、ハードディスクドライブ等であり、制御部２４の動作に用いられるほか、制御部２４により実行される種々のアプリケーションプログラム等を記憶している。接続通信部２９は、例えば、液晶表示装置１０等の外部機器と接続するための通信ケーブル３０を接続可能なコネクタとＵＡＲＴ等を有している。制御部２４は、接続通信部２９に接続された外部機器と通信可能である。
【００２５】
次に、表示範囲設定システム１としてのＰＣ２０と液晶表示装置１０の動作について説明する。表示範囲設定システム１は、ＰＣ２０の接続通信部２９のコネクタと液晶表示装置１０の接続通信部９のコネクタとを通信ケーブル３０を介して接続し、ＰＣ２０で所定のアプリケーションプログラム等を実行することにより、動作可能である。本実施形態において、表示範囲設定システム１を構成し使用することにより、上記の表示設定値の設定操作である画像表示範囲設定を視覚的に行うことができる。すなわち、画像表示範囲設定の実行時には、液晶表示装置１０の液晶パネル２とＰＣ２０の液晶パネル２２にそれぞれ画像が表示され、作業者（ユーザ）はそれらの画像を確認しながら設定操作を行うことができる。
【００２６】
次に、画像表示範囲設定の流れについて説明する。図７は、画像表示範囲設定の流れを示す。画像表示範囲設定は、液晶表示装置１０に例えばいわゆるモノスコープ画像である所定の元画像２１０（図９参照）が入力された状態で実行される。この所定の元画像２１０は、下記のように設定対象となる画格設定に対応する規格の画像である。ＰＣ２０で所定のプログラム等が実行されると、当該プログラムに基づき、画像表示範囲設定が実行開始される。まず、ＰＣ２０の制御部２４は、液晶パネル２２に、画像表示範囲設定のための操作を入力するための画像表示範囲設定画像（設定画像）１００を表示すると共に（Ｓ１１）、液晶表示装置１０の制御部４と通信し、液晶表示装置１０の記憶部７に記憶された表示設定値を初期化する（Ｓ１２）。他方、液晶表示装置１０の制御部４は、ＰＣ２０の制御部２４と通信して画像表示範囲設定の実行が開始された場合には、液晶表示装置１０の液晶パネル２上に所定の元画像２１０（図９参照）を表示した状態で、さらにその元画像２１０上の所定の位置に、４つのマーカ２１１，…，２１４を表示する（Ｓ１３）。なお、表示設定値の初期化後の値は、例えば、元画像２１０をそのまま全体に表示するような値とすればよい。
【００２７】
図８は、上述のように画像表示範囲設定が開始されて液晶パネル２２に表示される画像表示範囲設定画像の一例を示す。画像表示範囲設定画像１００には、液晶表示装置１０の液晶パネル２に対応する仮想画像１１０と、仮想画像１１０の傍に配置された４つのスライダバー１２１，…，１２４と、画格設定を選択するための画格設定ボックス１３０と、表示設定値を液晶表示装置１０に入力するための更新ボタン１４０等が表示される。なお、画像表示範囲設定画像１００は、液晶パネル２２の全体に表示されてもよく、液晶パネル２２の一部に部分的に表示されるようにしてもよい。
【００２８】
仮想画像１１０は、本実施形態において、液晶表示装置１０で表示対象となる元画像２１０に対応するような縦横比で、元画像２１０を所定の割合で縮小した大きさで表示される。仮想画像１１０には、さらに、実行中の画像表示範囲設定により液晶表示装置１０に設定しようとする仮設定値に対応する位置に配置された４つの仮想マーカ１１１，…，１１４が表示される。仮想マーカ１１１，…，１１４は、それぞれ、仮設定値が表示設定値として設定された場合に液晶パネル２に表示される部分画像の端縁部となる位置に、部分画像を囲んで示すように、仮想画像１１０中に表示される。本実施形態において、仮想マーカ１１１は、部分画像の上辺に対応する位置を示すように表示され、仮想マーカ１１２は、部分画像の下辺に対応する位置を示すように表示される。また、仮想マーカ１１３は、部分画像の左辺に対応する位置を示すように表示され、仮想マーカ１１４は、部分画像の右辺に対応する位置を示すように表示される。仮想マーカ１１１，…，１１４は、図に示すように、例えば格子状に表示され、また、仮想画像１１０中で目立つように、他の部位とは異なる表示態様で表示（例えば赤色等で表示）される。なお、仮想画像１１０の背景は、例えば所定の元画像２１０であるモノスコープ画像をシミュレートした画像であったり、所定の一色の画像であったりすればよい。
【００２９】
スライダバー１２１，…，１２４は、それぞれ、当該スライダバー１２１，…，１２４の範囲でスライドするように変位可能なスライダ１２１ａ，…，１２４ａを有している。図に示すように、スライダバー１２１，…，１２４は、それぞれ、仮想マーカ１１１，…，１１４に対応するように配置されており、スライダ１２１ａ，…，１２４ａの位置は、仮想マーカ１１１，…，１１４に対しそれぞれ水平方向又は垂直方向に並ぶように配置されている。すなわち、本実施形態において、制御部２４の制御に基づき、仮設定値と、スライダ１２１ａ，…，１２４ａと、仮想マーカ１１１，…，１１４は、それぞれ互いに関連している。作業者は、入力部２５の操作入力を行うことにより、仮設定値を変更することができる。例えば、作業者は、マウスを用いて、マウスカーソルをスライダ１２１ａ上に移動させ、その状態で下方にドラッグ操作を行うことにより、当該スライダ１２１ａとそれに対応する仮想マーカ１１１を画像表示範囲設定画像１００内で下方に移動させる。これにより、図８に示される元画像２１０のより下方の部位が部分画像の上端部となるように、仮設定値を変更することができる。なお、仮設定値は、例えば、マウス操作のほか、キーボードのカーソルキー等の操作に応じて、スライダ１２１ａ，…，１２４ａ及び仮想マーカ１１１，…，１１４の位置と共に変更可能に構成されていてもよい。
【００３０】
画格設定ボックス１３０は、例えばいわゆるドロップダウンボックス（Drop-down box）であり、上述のような液晶表示装置１０で選択可能な画格設定が並べられたリストの中から、画像表示範囲設定を行う画格設定を作業者が選択可能である。また、更新ボタン１４０は、例えばいわゆるプッシュボタンであって、入力部２５になされた操作入力すなわち例えばマウス操作やキーボードのエンターキー操作等により押下可能である。
【００３１】
図９は、上述のように画像表示範囲設定が開始されて液晶パネル２に表示される画像の一例を示す。液晶パネル２には、表示設定値が初期化されることにより、モノスコープ画像である元画像２１０の全体が表示される。このとき、液晶表示装置１０の制御部４は、ＰＣ２０の制御部２４との通信に基づき、ＰＣ２０側の画格設定ボックス１３０において選択された画格設定で、液晶パネル２に画像の表示を行う。また、制御部４は、４つのマーカ２１１，…，２１４を、元画像２１０上で、実行中の画像表示範囲設定により液晶表示装置１０に設定しようとする仮設定値に対応する位置に配置し、表示させる。すなわち、４つのマーカ２１１，…，２１４は、それぞれ、仮想マーカ１１１，…，１１４及び仮設定値に対応するように表示されている。そのため、上述のように入力部２５になされた操作入力に応じて仮想マーカ１１１，…，１１４の位置及び仮設定値が変更されると、それに連動し、マーカ２１１，…，２１４の元画像２１０上での位置が変化する。マーカ２１１，…，２１４は、仮想マーカ１１１，…，１１４と同様に、それぞれ、元画像２１０のうち、仮設定値が所定の表示設定値として設定された場合に部分画像の端縁部となる位置に、部分画像を囲んで示すように表示される。マーカ２１１は、部分画像の上辺に対応する位置に表示され、マーカ２１２は、部分画像の下辺に対応する位置に表示される。また、マーカ２１３は、部分画像の左辺に対応する位置に表示され、マーカ２１４は、部分画像の右辺に対応する位置に表示される。マーカ２１１，…，２１４は、図に示すように、例えば格子状に表示され、また、作業者が元画像２１０と識別しやすいように、例えば赤色等で表示される。なお、マーカ２１１，…，２１４は、例えば、液晶表示装置１０の制御部４が行うオンスクリーンディスプレイ（ＯＳＤ）機能により表示されるように構成されている。
【００３２】
このように画像表示範囲設定が実行開始され液晶表示装置１０とＰＣ２０に画像が表示されると、作業者は、ＰＣ２０の入力部２５に操作入力を行い、画像表示範囲設定を進めることができる（Ｓ１４〜Ｓ１７）。まず、作業者は、画格設定ボックス１３０を確認及び操作し、表示設定値の設定対象となる画格設定を選択する（Ｓ１４）。画格設定が選択されると、制御部２４は、仮想画像１１０中にサイドバー表示が必要であるか否かを判断し（Ｓ１５）、必要であれば（Ｓ１５：ＹＥＳ）、サイドバー表示を行う（Ｓ２１）。サイドバー表示が必要でない場合（Ｓ１５：ＮＯ）、及びサイドバー表示が行われた後（Ｓ２１）、作業者は、マウス操作等により、スライダ１２１ａ，…，１２４ａの位置を変更する（Ｓ１６）。この操作に伴い、上述のように、仮設定値が変更され、また、液晶表示装置１０の液晶パネル２上のマーカ２１１，…，２１４の位置が変更される。作業者は、マーカ２１１，…，２１４の位置が部分画像を囲むような所望の位置となるまで、すなわち仮設定値が表示設定値として設定したい値になるまで、スライダ１２１ａ，…，１２４ａの位置の調整を行う。制御部２４は、この間、すなわち更新ボタン１４０が操作されるまでは、表示設定値の更新動作を実行せず、作業者からの操作入力を受け付けている状態で待機する（Ｓ１７：ＮＯ）。
【００３３】
作業者によるスライダ１２１ａ，…，１２４ａの位置の調整が終了すると、作業者は、入力部２５に操作入力することにより、更新ボタン１４０の押下操作を行う（Ｓ１７：ＹＥＳ）。更新ボタン１４０の押下操作が行われると、制御部２４は、スライダ１２１ａ，…，１２４ａの位置に基づいて、液晶表示装置１０に設定すべき表示設定値を生成する（Ｓ１８）。そして、液晶表示装置１０の制御部４と通信し、その表示設定値を液晶表示装置１０の記憶部７に記憶させ（Ｓ１９）、その画格設定についての画像表示範囲設定を終了する。このように、表示設定値を設定する旨の所定の入力として更新ボタン１４０の押下操作がなされると、それに応じて、仮設定値が液晶表示装置１０の所定の表示設定値として設定され、以後のオーバスキャン表示が、当該所定の表示設定値に基づき行われるようになる。図１０は、表示設定値が設定された後のオーバスキャン表示の一例を示す。図に２点鎖線で示すように、オーバスキャン表示は、上述のような画像表示範囲設定時に各マーカ２１１，…，２１４で表示されていた位置が端縁部となる部分画像を表示するようにして行われる。
【００３４】
なお、上述のような画像表示範囲設定を、例えば液晶パネル２にサイドバーを表示する画格設定について行うような場合には、その画像表示範囲設定時にも、液晶パネル２上に表示する画像と仮想画像１１０とにサイドバーを表示して行う。図１１（ａ）は、４：３ディスプレイモード時の「Ｎｏｒｍａｌ」モードについての画像表示範囲設定時の液晶パネル２の表示画像の一例を示す。また、図１１（ｂ）は、４：３ディスプレイモード時の「１４：９」モードについての画像表示範囲設定時の液晶パネル２の表示画像の一例を示す。このように、通常視聴時にサイドバーを表示してオーバスキャン表示を行う画格設定においては、図に示すように、サイドバー２３０を表示したうえで元画像２１０及びマーカ２１１，…，２１４等を表示することにより、サイドバー２３０を表示しない画格設定と同様に画像表示範囲設定を行うことができる。このように、本実施形態においては、画格設定を選択するための画格設定ボックス１３０と、上述のように画像表示範囲設定時に参照される仮想画像１１０及びスライダバー１２１，…，１２４とを同一の画像表示範囲設定画像１００中に表示するので、より容易に各画格設定についての画像表示範囲設定を行うことができる。
【００３５】
以上説明したように、本実施形態においては、液晶表示装置１０の液晶パネル２部に表示されたマーカ２１１，…，２１４を見ながら仮設定値の変更を行うことにより、視覚的且つ直感的に画像の表示範囲を決定し、表示設定値の変更を行うことができる。従って、従来のように、設定値を設定しその結果を目視で確認する作業を表示が適正になるまで繰り返すような、経験と時間が必要な作業を行うことなく、容易に且つ速やかに画像表示範囲設定を行うことができる。また、このとき、ＰＣ２０の液晶パネル２２に表示される仮想画像１１０とスライダバー１２１，…，１２４を見ながらスライダ１２１ａ，…，１２４ａを操作し、仮設定値をより直感的に変更することができるので、より容易かつ速やかに画像表示範囲設定を行うことができる。さらにまた、部分画像の端縁部となる位置に部分画像を囲んで示すようにマーカ２１１，…，２１４が表示されるので、作業者は、マーカ２１１，…，２１４と、表示設定値の設定後に表示される部分画像との関係をより容易且つ確実に把握することができ、さらに容易に画像表示範囲設定を行うことができる。
【００３６】
なお、本発明は上記実施形態の構成に限定されるものではなく、発明の趣旨を変更しない範囲で適宜に種々の変形が可能である。例えば、画像表示範囲設定画像の構成は上述に限られるものではなく、例えば、スライダバーを設けず、作業者が仮想マーカについてドラッグ等するマウス操作を行うことにより、仮想マーカの位置を変更可能に構成されていてもよい。また、マーカや仮想マーカの形状は、上述のような形状ではなくても、部分画像の四隅の位置を明示するようなものであればよい。さらにまた、画像表示範囲設定画像には仮想画像や仮想マーカを表示せず、仮設定値を表示するなどし、作業者は、主に液晶表示装置の表示パネルに表示されたマーカを確認しながら仮設定値の変更を行うようにしてもよい。このような場合であっても、上述と同様に、作業者が、設定される部分画像を視覚的に確認しながら画像表示範囲設定を行うことができ、容易且つ確実に作業を行うことができる。
【００３７】
また、本発明は、液晶表示装置及びＰＣを用いて構成される表示範囲設定システムに限られるものではなく、例えば、液晶表示装置に替えて、ブラウン管やプラズマディスプレイパネル等を表示パネル（表示部）として用いた画像表示装置を用いたり、ＰＣに替えて、上述のように画像表示範囲設定を実行可能な専用の画像表示範囲設定装置を用いてもよい。すなわち、オーバスキャン表示機能を有する画像表示装置に画像表示範囲設定装置を接続し、画像表示範囲接地装置で仮設定値を選択しながら、その仮設定値に応じてマーカを画像表示装置の表示パネルに表示するように構成することにより、容易且つ確実に画像表示範囲設定を実行可能にすることができる。
【図面の簡単な説明】
【００３８】
【図１】本発明の一実施形態に係る画像表示装置の画像表示範囲設定システムの一構成例を示すブロック図。
【図２】上記画像表示範囲設定システムの構成を示す斜視図。
【図３】上記画像表示範囲設定システムの液晶表示装置の１６：９ディスプレイモード時に選択可能な画格設定を示す図。
【図４】上記液晶表示装置の４：３ディスプレイモード時に選択可能な画格設定を示す図。
【図５】上記液晶表示装置のＰＣモード時に選択可能な画格設定を示す図。
【図６】上記液晶表示装置のＰＣモード時に選択可能な画格設定を入力画像の画像モード別に示す図。
【図７】上記画像表示範囲設定システムにより実行可能な画像表示範囲設定の流れを示すフローチャート。
【図８】上記画像表示範囲設定の実行時にパーソナルコンピュータの液晶パネルに表示される画像表示範囲設定画像の表示例を示す図。
【図９】上記画像表示範囲設定の実行時の液晶表示装置の液晶パネルの表示例を示す図。
【図１０】上記液晶表示装置のオーバスキャン表示時の液晶パネルの表示例を示す図。
【図１１】（ａ）は４：３ディスプレイモード時の「Ｎｏｒｍａｌ」モードについての上記画像表示範囲設定の実行時の液晶表示装置の液晶パネルの表示例を示す図、（ｂ）は４：３ディスプレイモード時の「１４：９」モードについての上記画像表示範囲設定の実行時の液晶表示装置の液晶パネルの表示例を示す図。
【符号の説明】
【００３９】
１  画像表示範囲設定システム
２  液晶パネル（表示部）
４  （液晶表示装置の）制御部
１０  液晶表示装置（画像表示装置）
２０  パーソナルコンピュータ（画像表示範囲設定装置）
２２  液晶パネル（表示部）
２４  制御部
２５  入力部
１００  画像表示範囲設定画像（設定画像）
１１０  仮想画像
１２１，…，１２４  スライダバー
１２１ａ，…，１２４ａ  スライダ
２１０  元画像
２１１，…，２１４  マーカ
【図１】
2010078875.tif 000003
【図２】
2010078875.tif 000004
【図３】
2010078875.tif 000005
【図４】
2010078875.tif 000006
【図５】
2010078875.tif 000007
【図６】
2010078875.tif 000008
【図７】
2010078875.tif 000009
【図８】
2010078875.tif 000010
【図９】
2010078875.tif 000011
【図１０】
2010078875.tif 000012
【図１１】
2010078875.tif 000013